(57)【要約】【課題】光源部からの光を外部に効率よく拡散させることやホットスポットをなくすことが可能な照明装置を得る。【解決手段】照明光を光軸方向に出射する光源部と、前記光源部が出射した照明光を通過させる通過部と、前記通過部の周囲に位置して前記光源部が出射した照明光を光軸から離間する方向に拡散させる拡散部と、を有する拡散板と、前記拡散板の前記通過部を通過した照明光の一部を透過させ残部を光軸から離間する方向に反射して前記拡散板の前記拡散部に導く半透過型反射面を有する反射板と、前記拡散板の前記通過部を通過して前記反射板の前記半透過型反射面を透過した照明光を減光する減光板と、を有することを特徴とする照明装置。【選択図】図４
2017103161.tif 000002
【特許請求の範囲】
【請求項１】
照明光を光軸方向に出射する光源部と、
前記光源部が出射した照明光を通過させる通過部と、前記通過部の周囲に位置して前記光源部が出射した照明光を光軸から離間する方向に拡散させる拡散部と、を有する拡散板と、
前記拡散板の前記通過部を通過した照明光の一部を透過させ残部を光軸から離間する方向に反射して前記拡散板の前記拡散部に導く半透過型反射面を有する反射板と、
前記拡散板の前記通過部を通過して前記反射板の前記半透過型反射面を透過した照明光を減光する減光板と、
を有することを特徴とする照明装置。
【請求項２】
請求項１記載の照明装置において、
前記拡散板の前記通過部は、貫通孔からなり、
前記反射板の前記半透過型反射面は、前記貫通孔に進入して前記光源部に向かって突出する曲面反射面、円錐反射面または角錐反射面からなる、照明装置。
【請求項３】
請求項１または２記載の照明装置において、
平面視したとき、前記減光板の領域内部に前記光源部が収まっている、照明装置。
【請求項４】
請求項１ないし３のいずれか１項記載の照明装置において、
前記拡散板と前記反射板は、別体で構成されている、照明装置。
【請求項５】
請求項４記載の照明装置において、
前記拡散板の前記通過部の周辺部と前記反射板の前記半透過型反射面の周辺部との間に挟持される第１の光量調整シートをさらに有する、照明装置。
【請求項６】
請求項４または５記載の照明装置において、
前記拡散板の前記通過部の周辺部と前記反射板の前記半透過型反射面の周辺部を結合する超音波溶着部をさらに有する、照明装置。
【請求項７】
請求項４ないし６のいずれか１項記載の照明装置において、
前記拡散板と前記反射板は、異なる材料から構成されている、照明装置。
【請求項８】
請求項１ないし７のいずれか１項記載の照明装置において、
前記反射板の前記半透過型反射面とは反対側の面と前記減光板との境界部を覆う第２の光量調整シートをさらに有する、照明装置。
【請求項９】
請求項１ないし８のいずれか１項記載の照明装置において、
前記光源部を収容する収容開口と、前記収容開口を囲んで前記収容開口から離れるに連れて高さを減じる傾斜反射面と、を有する光源部収容部材をさらに有する、照明装置。
【請求項１０】
請求項１ないし９のいずれか１項記載の照明装置において、
前記拡散板は、平面視略矩形部と、前記平面視略矩形部の四隅から外周側に張り出した外周張出部とを有しており、
前記平面視略矩形部の四隅から前記外周張出部に亘る厚みがその他の部分の厚みよりも大きい、照明装置。
【請求項１１】
請求項１０記載の照明装置において、
前記拡散板は、前記平面視略矩形部の四隅から前記外周張出部に向かう照明光の拡散を許容し、且つ、前記平面視略矩形部の各辺に最短距離で向かう照明光の拡散を阻害する拡散阻害部を有する、照明装置。
【発明の詳細な説明】
【技術分野】
【０００１】
本発明は、ＬＥＤ（半導体発光素子）等の光源部を用いた照明装置に関する。
【背景技術】
【０００２】
ＬＥＤ等の光源部を用いた照明装置として、特許文献１に開示されたものが知られている。この照明装置は、ベース部材と、ベース部材に固定したＬＥＤと、ベース部材に固定した配光レンズと、を有している。
【先行技術文献】
【特許文献】
【０００３】
【特許文献１】特開２００６−１１４８６３号公報
【発明の概要】
【発明が解決しようとする課題】
【０００４】
このような照明装置の開発において、ＬＥＤ等の光源部からの光を外部に効率よく拡散させることや光の輝度が局所的に高くなるホットスポットをなくすことが課題の１つとなっている。
【０００５】
そこで本発明は、光源部からの光を外部に効率よく拡散させることやホットスポットをなくすことが可能な照明装置を得ることを目的とする。
【課題を解決するための手段】
【０００６】
本発明の照明装置は、照明光を光軸方向に出射する光源部と、前記光源部が出射した照明光を通過させる通過部と、前記通過部の周囲に位置して前記光源部が出射した照明光を光軸から離間する方向に拡散させる拡散部と、を有する拡散板と、前記拡散板の前記通過部を通過した照明光の一部を透過させ残部を光軸から離間する方向に反射して前記拡散板の前記拡散部に導く半透過型反射面を有する反射板と、前記拡散板の前記通過部を通過して前記反射板の前記半透過型反射面を透過した照明光を減光する減光板と、を有することを特徴としている。
【０００７】
前記拡散板の前記通過部は、貫通孔から構成し、前記反射板の前記半透過型反射面は、前記貫通孔に進入して前記光源部に向かって突出する曲面反射面、円錐反射面または角錐反射面から構成することができる。
【０００８】
平面視したとき、前記減光板の領域内部に前記光源部が収まっていることができる。
【０００９】
前記拡散板と前記反射板は、別体で構成することができる。
【００１０】
本発明の照明装置は、前記拡散板の前記通過部の周辺部と前記反射板の前記半透過型反射面の周辺部との間に挟持される第１の光量調整シートをさらに有することができる。
【００１１】
本発明の照明装置は、前記拡散板の前記通過部の周辺部と前記反射板の前記半透過型反射面の周辺部を結合する超音波溶着部をさらに有することができる。
【００１２】
前記拡散板と前記反射板は、異なる材料から構成することができる。
【００１３】
本発明の照明装置は、前記反射板の前記半透過型反射面とは反対側の面と前記減光板との境界部を覆う第２の光量調整シートをさらに有することができる。
【００１４】
本発明の照明装置は、前記光源部を収容する収容開口と、前記収容開口を囲んで前記収容開口から離れるに連れて高さを減じる傾斜反射面と、を有する光源部収容部材をさらに有することができる。
【００１５】
前記拡散板は、平面視略矩形部と、前記平面視略矩形部の四隅から外周側に張り出した外周張出部とを有しており、前記平面視略矩形部の四隅から前記外周張出部に亘る厚みをその他の部分の厚みよりも大きくすることができる。
【００１６】
前記拡散板は、前記平面視略矩形部の四隅から前記外周張出部に向かう照明光の拡散を許容し、且つ、前記平面視略矩形部の各辺に最短距離で向かう照明光の拡散を阻害する拡散阻害部を有することができる。
【発明の効果】
【００１７】
本発明によれば、光源部からの光を外部に効率よく拡散させることやホットスポットをなくすことが可能な照明装置を得られる。
【図面の簡単な説明】
【００１８】
【図１】本実施形態による照明装置の各構成要素を示す分解斜視図である。
【図２】本実施形態による照明装置を上方から見た斜視図（ＬＥＤモジュール支持基板を省略している）である。
【図３】本実施形態による照明装置を下方から見た斜視図（ＬＥＤモジュール支持基板を省略している）である。
【図４】図２のIV−IV線に沿う矢視断面図である。
【図５】図５（Ａ）はＬＥＤモジュール収容部材を上方から見た斜視図であり、図５（Ｂ）はＬＥＤモジュール収容部材を下方から見た斜視図である。
【図６】図６（Ａ）は拡散板を上方から見た平面図であり、図６（Ｂ）は拡散板を下方から見た底面図である。
【図７】図７（Ａ）は反射板を下方から見た底面図であり、図７（Ｂ）は反射板の側面図であり、図７（Ｃ）は反射板を下方から見た斜視図である。
【図８】第１の光量調整シートを上方（下方）から見た平面図（底面図）である。
【図９】第２の光量調整シートを上方（下方）から見た平面図（底面図）である。
【図１０】第３の光量調整シートを上方（下方）から見た平面図（底面図）である。
【図１１】拡散板の別の実施形態を示す斜視図である。
【図１２】拡散板のさらに別の実施形態を示す斜視図である。
【発明を実施するための形態】
【００１９】
＜照明装置１＞
図１−図１０を参照して、本実施形態による照明装置１について説明する。照明装置１は、多数を縦横に並べて配置して上面に液晶パネル（図示せず）を設けることにより、テレビのバックライトユニット等の液晶表示装置（図示せず）として使用することができる。以下の説明中の上下方向（光軸方向）は図中に記載した矢線方向を基準とする。
【００２０】
図１に示すように、照明装置１は、ＬＥＤモジュール（光源部）１０と、ＬＥＤモジュール収容部材（光源部収容部材）２０と、ＬＥＤモジュール支持基板（シャシー、放熱板）３０と、拡散板４０と、反射板５０と、減光板（遮光板）６０と、第１の光量調整シート７０と、第２の光量調整シート８０と、反射シート９０とを有している。
【００２１】
＜ＬＥＤモジュール１０＞
ＬＥＤモジュール１０は、金属製のヒートシンク、金属製の導通板、及び、樹脂等の絶縁性材料からなるＬＥＤ用ホルダを構成要素として結合した、全体形状が略直方体（平面視形状が略矩形）をなす成形品である。
【００２２】
ＬＥＤモジュール１０の上面には、多数のＬＥＤ（半導体発光素子）１１が固定されており、このＬＥＤ１１を避けるようにして、主成分であるポリウレタン樹脂に酸化チタン（ＴｉＯ２）等を着色剤として混合しかつ全体として絶縁性を有する反射膜（図示せず）が形成されている。
【００２３】
ＬＥＤモジュール１０の対角線上に位置する２つの角部には、上記導通板を介してＬＥＤ１１と電気的に接続された２つの中継コネクタ１２が取り付けられている（図１ではＬＥＤモジュール１０の１つの角部に設けられた１つの中継コネクタ１２のみを描いている）。２つの中継コネクタ１２は、平面視したとき、ＬＥＤモジュール１０の対角線上に位置する２つの角部から互いに逆方向かつ外方に突出する。中継コネクタ１２は、ケーブル（図示せず）を介して、隣接する別の照明装置１のＬＥＤモジュール１０の中継コネクタ１２又は電源（図示せず）と電気的に接続されている。上記電源からの電力が上記ケーブルから中継コネクタ１２そして上記導通板を経由してＬＥＤ１１に供給されることで、ＬＥＤモジュール１０が上方（光軸方向）に向かって照明光を出射する。
【００２４】
＜ＬＥＤモジュール収容部材２０＞
図５（Ａ）、図５（Ｂ）に示すように、ＬＥＤモジュール収容部材２０は、平面視略円形の上面平坦部２１と、この上面平坦部２１を囲む平面視略環状の傾斜反射面２２とを有している。上面平坦部２１の中央部には、ＬＥＤモジュール１０及び２つの中継コネクタ１２を嵌め込む（収容する）ためのＬＥＤモジュール嵌込開口（ＬＥＤモジュール収容開口）２３が形成されている。このＬＥＤモジュール収容開口２３は、ＬＥＤモジュール１０の平面形状に対応する平面視略矩形部２３Ａと、この平面視略矩形部２３Ａの対角線上に位置する２つの角部から互いに逆方向かつ外方に突出し且つ２つの中継コネクタ１２の平面形状に対応する外方突出部２３Ｂとを有している。ＬＥＤモジュール収容開口２３にＬＥＤモジュール１０及び２つの中継コネクタ１２を嵌め込むことで、ＬＥＤモジュール１０及び２つの中継コネクタ１２とＬＥＤモジュール収容部材２０が位置決め状態で一体化される。上面平坦部２１には、ＬＥＤモジュール収容開口２３を挟んで互いに対向する一対の貫通孔２４が形成されている。傾斜反射面２２は、ＬＥＤモジュール収容開口２３を囲んでＬＥＤモジュール収容開口２３から離れるに連れて高さを減じる形状となっている（ＬＥＤモジュール収容部材２０はＬＥＤモジュール収容開口２３を噴火口とした火山型の形状を有している）。
【００２５】
ＬＥＤモジュール収容部材２０の下面には、環状平坦接触面２５と、環状平坦接触面２５から内方に対向するように突出する一対の大型平坦接触舌片２６と、環状平坦接触面２５から内方に対向するように突出する一対の小型平坦接触舌片２７とが形成されている。一対の大型平坦接触舌片２６は１８０°間隔で形成されており、一対の小型平坦接触舌片２７は１８０°間隔で形成されており、一対の大型平坦接触舌片２６と一対の小型平坦接触舌片２７は９０°間隔で形成されている。一対の大型平坦接触舌片２６は、上面平坦部２１の一対の貫通孔２４と対応する位置に形成されている（一対の大型平坦接触舌片２６に一対の貫通孔２４が貫通形成されている）。ＬＥＤモジュール収容部材２０の下面には、ＬＥＤモジュール収容開口２３の輪郭に沿った島状平坦接触面２８が形成されている。
【００２６】
ＬＥＤモジュール収容部材２０の材料には自由度があるが、ＬＥＤモジュール１０のＬＥＤ１１の発光時の熱をＬＥＤモジュール支持基板３０に効率よく逃がすことができる高い放熱性、及び、傾斜反射面２２による高い光の反射率を両立し得る材料、例えばＰＥＴ（ポリエチレンテレフタレート）やＬＣＰ（液晶ポリマー）等から構成することが好ましい。また、ＬＥＤモジュール収容部材２０の上面平坦部２１と傾斜反射面２２の全部または一部に反射用のコーティングや薄膜等を形成してもよい。
【００２７】
＜ＬＥＤモジュール支持基板３０＞
ＬＥＤモジュール支持基板３０は、例えばアルミニウム等の高い放熱性を持つ金属材料で構成された平面視略矩形をなす薄板部材である。ＬＥＤモジュール支持基板３０は、ＬＥＤモジュール１０、ＬＥＤモジュール収容部材２０、拡散板４０、反射板５０、減光板６０、第１の光量調整シート７０、第２の光量調整シート８０及び反射シート９０を直接的又は間接的に支持するベース部材である。ＬＥＤモジュール１０とＬＥＤモジュール収容部材２０のＬＥＤモジュール支持基板３０への支持構造を説明すると次の通りである。すなわち、ＬＥＤモジュール１０と一体化されたＬＥＤモジュール収容部材２０の一対の貫通孔２４に一対の位置決め固定ピン（図示せず）を挿通してこれをＬＥＤモジュール支持基板３０に固定（締結）することで、ＬＥＤモジュール支持基板３０にＬＥＤモジュール１０とＬＥＤモジュール収容部材２０が支持される。
【００２８】
＜拡散板４０＞
図６（Ａ）、図６（Ｂ）に示すように、拡散板４０は、透光性材料（例えばガラスやアクリル等の樹脂材料）からなる略平板状の成形品であり、ＬＥＤモジュール支持基板３０と同様の平面視略矩形をなしている。拡散板４０の中央部には略円形をなす貫通孔（通過部）４１が形成されている。
【００２９】
拡散板４０の上面には、貫通孔４１に近い側でこれを取り囲む３つの固定ピン挿入孔４２が周方向に略１２０°間隔で形成されている。拡散板４０の上面には、貫通孔４１から遠い側でこれを取り囲む４つの上方突出ピン４３が周方向に略９０°間隔で形成されている。各上方突出ピン４３には固定ピン挿入孔４３Ａが形成されている。つまり拡散板４０の上面には、貫通孔４１を中心として、３つの固定ピン挿入孔４２、４つの上方突出ピン４３（固定ピン挿入孔４３Ａ）がこの順番で放射状に形成されている。４つの上方突出ピン４３（固定ピン挿入孔４３Ａ）は、照明装置１を液晶表示装置（図示せず）として使用するときに、拡散板４０を照明装置１の上面の液晶パネル（図示せず）に支持するためのものである。すなわち、４つの上方突出ピン４３（固定ピン挿入孔４３Ａ）を液晶パネルの４つの貫通孔（図示せず）に位置合わせして、この４つの貫通孔に挿通した４つの位置決め固定ピン（図示せず）を４つの固定ピン挿入孔４３Ａに固定（締結）することで、上記液晶パネルに拡散板４０（照明装置１）が支持される。
【００３０】
拡散板４０の下面には、貫通孔４１に近い側でこれを取り囲む４つの内径側下方突出ピン４４が形成されている（４つの内径側下方突出ピン４４は等角度間隔には配置されていない）。拡散板４０の下面には、貫通孔４１から遠い側でこれを取り囲む４つの外径側下方突出ピン４５が周方向に略９０°間隔で形成されている。各外径側下方突出ピン４５には固定ピン挿入孔４５Ａが形成されている。つまり拡散板４０の下面には、貫通孔４１を中心として、４つの内径側下方突出ピン４４、４つの外径側下方突出ピン４５（固定ピン挿入孔４５Ａ）がこの順番で放射状に形成されている。外径側下方突出ピン４５の大きさ及び下方への突出量は、内径側下方突出ピン４４の大きさ及び下方への突出量よりも大きくなっている。
【００３１】
拡散板４０の下面には、貫通孔４１と４つの内径側下方突出ピン４４を含む中央の矩形領域の周囲の枠状領域に位置する複数の大径円錐状凹部（拡散部）４６、及び、この大径円錐状凹部４６の周囲の枠状領域に位置する複数の小径円錐状凹部（拡散部）４７が形成されている。
【００３２】
拡散板４０は、次のようにしてＬＥＤモジュール支持基板３０に支持される。すなわち、４つの外径側下方突出ピン４５（固定ピン挿入孔４５Ａ）をＬＥＤモジュール支持基板３０の４つの貫通孔（図示せず）に位置合わせして、この４つの貫通孔に挿通した４つの位置決め固定ピン（図示せず）を４つの固定ピン挿入孔４５Ａに固定（締結）することで、ＬＥＤモジュール支持基板３０に拡散板４０が支持される。この支持状態では、拡散板４０の４つの外径側下方突出ピン４５の間にＬＥＤモジュール収容部材２０（傾斜反射面２２）の外周輪郭部が微小クリアランスで位置する。このため、ＬＥＤモジュール支持基板３０に拡散板４０を支持すると、拡散板４０がＬＥＤモジュール１０とＬＥＤモジュール収容部材２０に対して高精度に位置決めされることになる。
【００３３】
ＬＥＤモジュール支持基板３０に拡散板４０を支持すると、ＬＥＤモジュール１０（ＬＥＤ１１）の直上に拡散板４０の貫通孔４１が位置する。そして、ＬＥＤモジュール１０（ＬＥＤ１１）が上方（光軸方向）に出射した照明光は、その光束中央部が貫通孔４１を介して上方（光軸方向）へ通過し、その光束周辺部が複数の大径円錐状凹部４６と複数の小径円錐状凹部４７によって側方及び斜め上方（光軸方向から離間する方向）に拡散される。大径円錐状凹部４６の照明光の拡散力は、小径円錐状凹部４７の照明光の拡散力よりも大きい。
【００３４】
＜反射板５０＞
図７（Ａ）、図７（Ｂ）に示すように、反射板５０は、透光性材料（例えばガラスやアクリル等の樹脂材料）からなる成形品である。反射板５０は、円盤状の鍔部５１と、この鍔部５１の下面の中央部に突設された鍔部５１より小径の半透過型曲面反射面５２とを有している。半透過型曲面反射面５２には反射被膜（酸化チタンを混合した被膜やハーフミラーなど）が施してある。この反射被膜の光の透過率は拡散板４０よりも低い。なお、反射板５０の透過率を拡散板４０の透過率と同じかそれより高くした上で半透過型曲面反射面５２に反射被膜を形成してもよいし、又は、反射板５０の透過率を拡散板４０の透過率より低くした上で反射被膜を省略してもよい。鍔部５１の上面（半透過型曲面反射面５２と反対側の面）は平面により構成されている。
【００３５】
反射板５０の鍔部５１の上面のうち半透過型曲面反射面５２に対応する部分（半透過型曲面反射面５２の裏面）には、反射用のコーティングや薄膜等からなる第２反射面５３が形成されている（図１）。この第２反射面５３は、半透過型曲面反射面５２を透過した照明光を下方または斜め下方に向けて反射させる機能を持つ。
【００３６】
反射板５０は次のようにして拡散板４０に支持される。すなわち、半透過型曲面反射面５２を拡散板４０の貫通孔４１に進入させてＬＥＤモジュール１０（ＬＥＤ１１）に向かって突出させ、且つ、拡散板４０の上面の貫通孔４１の周辺部と反射板５０の鍔部５１の下面の半透過型曲面反射面５２の周辺部とを超音波溶着部ＵＶ（図４）によって結合する。
【００３７】
反射板５０を拡散板４０に支持すると、ＬＥＤモジュール１０（ＬＥＤ１１）が上方（光軸方向）に出射して拡散板４０の貫通孔４１を通過した照明光が、貫通孔４１の内部において、反射板５０の半透過型曲面反射面５２に入射する。そして反射板５０の半透過型曲面反射面５２は、入射した照明光の一部を透過させて上方（光軸方向）に導き、入射した照明光の残部を側方及び斜め上方（光軸方向から離間する方向）に反射して拡散板４０の大径円錐状凹部４６及び小径円錐状凹部４７に導く。
【００３８】
反射板５０の半透過型曲面反射面５２が反射した照明光は、その全てが拡散板４０の大径円錐状凹部４６及び小径円錐状凹部４７に１回で反射されるのではなく、その一部が下方の外周側に向けて反射される。しかし、下方の外周側に向けて反射された照明光は、反射シート９０及びＬＥＤモジュール収容部材２０の傾斜反射面２２により再反射されて、拡散板４０の大径円錐状凹部４６及び小径円錐状凹部４７に導かれる。その結果、反射板５０の半透過型曲面反射面５２に入射した照明光は、これが殆ど損失されることなく、拡散板４０の大径円錐状凹部４６及び小径円錐状凹部４７に導かれる。
【００３９】
＜減光板６０＞
図１、図４に示すように、減光板６０は、光透過率を低く抑えた円盤状の薄板部材である。減光板６０は、反射板５０の鍔部５１より小径であり、該鍔部５１の上面の中央部に設けられる。減光板６０の平面形状（径）は、反射板５０の半透過型曲面反射面５２の平面形状（径）と略同一となるように設定されている。減光板６０の平面形状（径）は、ＬＥＤモジュール１０のＬＥＤ１１の平面形状（径）よりも大きくなっており、平面視したとき、減光板６０の領域内部にＬＥＤモジュール１０のＬＥＤ１１が収まっている。
【００４０】
減光板６０は、ＬＥＤモジュール１０（ＬＥＤ１１）が上方（光軸方向）に出射して拡散板４０の貫通孔４１を通過し、さらに反射板５０の半透過型曲面反射面５２を透過した照明光を減光（遮光）する役割（機能）を発揮する。
【００４１】
＜第１の光量調整シート７０＞
図４、図８に示すように、第１の光量調整シート７０は、例えばＰＥＴ（ポリエチレンテレフタレート）やＬＣＰ（液晶ポリマー）等の材料からなる薄板の成形品である。第１の光量調整シート７０は、略円形の中央貫通孔７１が形成された略環状部材である。第１の光量調整シート７０には、各種のコーティングや薄膜等を形成してもよい。
【００４２】
第１の光量調整シート７０は、拡散板４０の上面の貫通孔４１の周辺部と反射板５０の鍔部５１の下面の半透過型曲面反射面５２の周辺部との間に挟持される。第１の光量調整シート７０の中央貫通孔７１の平面形状（径）は、拡散板４０の貫通孔４１及び反射板５０の半透過型曲面反射面５２の平面形状（径）と略同一となるように設定されている。このため、第１の光量調整シート７０を拡散板４０と反射板５０の間に挟持したときには、反射板５０の半透過型曲面反射面５２が、拡散板４０の貫通孔４１と第１の光量調整シート７０の中央貫通孔７１の内部に進入してＬＥＤモジュール１０（ＬＥＤ１１）に対向する。また、第１の光量調整シート７０の平面形状（径）は、反射板５０及び減光板６０の平面形状（径）よりも大きくなっている。
【００４３】
第１の光量調整シート７０には、中央貫通孔７１に近い側でこれを取り囲む３２個の内径側貫通孔７２と、中央貫通孔７１から遠い側でこれを取り囲む２７個の外径側貫通孔７３とが形成されている。内径側貫通孔７２と外径側貫通孔７３の形状（径）は略同一であり、内径側貫通孔７２の周方向の配置密度は、外径側貫通孔７３の周方向の配置密度よりも高くなっている。
【００４４】
＜第２の光量調整シート８０＞
図４、図９に示すように、第２の光量調整シート８０は、例えばＰＥＴ（ポリエチレンテレフタレート）やＬＣＰ（液晶ポリマー）等の材料からなる平面視略円形の薄板の成形品である。第２の光量調整シート８０には、各種のコーティングや薄膜等を形成してもよい。
【００４５】
第２の光量調整シート８０は、反射板５０の鍔部５１の上面（半透過型曲面反射面５２とは反対側の面）と減光板６０との境界部を覆うように設けられている。第２の光量調整シート８０の平面形状（径）は、反射板５０及び第１の光量調整シート７０の平面形状（径）よりも小さく、且つ、減光板６０の平面形状（径）よりも大きくなっている。
【００４６】
第２の光量調整シート８０には、最も内径側に略１２０°間隔で配置された３個の内径側貫通孔８１と、径方向の中間部に周方向に略等角度間隔で配置された９つの中間貫通孔８２と、最も外径側に周方向に略等角度間隔で配置された１９つの外径側貫通孔８３とが形成されている。内径側貫通孔８１の形状（径）は、中間貫通孔８２及び外径側貫通孔８３の形状（径）よりも小さくなっている。中間貫通孔８２と外径側貫通孔８３の形状（径）は略同一であり、中間貫通孔８２の周方向の配置密度は、外径側貫通孔８３の周方向の配置密度よりも低くなっている。
【００４７】
＜反射シート９０＞
図４、図１０に示すように、反射シート９０は、例えばＰＥＴ（ポリエチレンテレフタレート）やＬＣＰ（液晶ポリマー）等の材料からなる薄板の成形品である。反射シート９０は、略円形の中央貫通孔９１が形成された略環状部材である。反射シート９０には、各種のコーティングや薄膜等を形成してもよい。
【００４８】
反射シート９０は、ＬＥＤモジュール収容部材２０の上面平坦部２１のＬＥＤモジュール収容開口２３の周辺部と拡散板４０の下面の貫通孔４１の周辺部との間に挟持される。反射シート９０の中央貫通孔９１の平面形状（径）は、拡散板４０の貫通孔４１、反射板５０の半透過型曲面反射面５２及び第１の光量調整シート７０の中央貫通孔７１の平面形状（径）と略同一となるように設定されている。このため、反射シート９０をＬＥＤモジュール収容部材２０と拡散板４０の間に挟持したとき、反射シート９０がＬＥＤモジュール１０（ＬＥＤ１１）から反射板５０の半透過型曲面反射面５２への照明光の入射経路（光路）を遮ることはない。
【００４９】
反射シート９０には、中央貫通孔９１を取り囲む４つの包囲貫通孔９２（４つの包囲貫通孔９２は等角度間隔には配置されていない）が形成されている。この４つの包囲貫通孔９２は、拡散板４０の下面の４つの内径側下方突出ピン４４に係合する。これにより、反射シート９０が拡散板４０に対して位置決めされる。
【００５０】
＜照明装置１の作用効果＞
本実施形態の照明装置１によれば、ＬＥＤモジュール１０（ＬＥＤ１１）が上方（光軸方向）に出射した照明光が、次の（１）、（２）、（３）の三重の反射拡散作用によって、側方及び斜め上方（光軸方向から離間する方向）に反射拡散される。
（１）ＬＥＤモジュール１０（ＬＥＤ１１）が上方（光軸方向）に出射した照明光の光束周辺部が拡散板４０の大径円錐状凹部４６と小径円錐状凹部４７によって側方及び斜め上方（光軸方向から離間する方向）に拡散される。
（２）ＬＥＤモジュール１０（ＬＥＤ１１）が上方（光軸方向）に出射して拡散板４０の貫通孔４１を通過した照明光が、反射板５０の半透過型曲面反射面５２によって側方及び斜め上方（光軸方向から離間する方向）に反射されて拡散板４０の大径円錐状凹部４６及び小径円錐状凹部４７に導かれ、拡散板４０の大径円錐状凹部４６と小径円錐状凹部４７によって側方及び斜め上方（光軸方向から離間する方向）に拡散される。
（３）反射板５０の半透過型曲面反射面５２により下方の外周側に向けて反射された照明光が、反射シート９０及びＬＥＤモジュール収容部材２０の傾斜反射面２２により再反射されて拡散板４０の大径円錐状凹部４６及び小径円錐状凹部４７に導かれ、拡散板４０の大径円錐状凹部４６と小径円錐状凹部４７によって側方及び斜め上方（光軸方向から離間する方向）に拡散される。
【００５１】
これにより、ＬＥＤモジュール１０（ＬＥＤ１１）からの光を外部に効率よく拡散させて均一でムラのない照明光の供給が可能になる。また、ＬＥＤ１１の個数を減らして照明装置１ひいてはこれを搭載する液晶表示装置（テレビのバックライトユニット等）の低コスト化を図ることができる。さらに、照明光の上方（光軸方向）への発光を抑えて側方及び斜め上方（光軸方向から離間する方向）への発光を強化しているので、照明装置１の高さであるＯＤ値（ＬＥＤモジュール１０の底面から第２の光量調整シート８０の上面までの距離）を極限まで小さくして低背化を図りつつ、照明光の配光分布を最適化することができる。
【００５２】
本実施形態の照明装置１によれば、減光板６０が、ＬＥＤモジュール１０（ＬＥＤ１１）が上方（光軸方向）に出射して拡散板４０の貫通孔４１を通過し、さらに反射板５０の半透過型曲面反射面５２を透過した照明光を減光（遮光）する役割（機能）を発揮する。これにより、照明装置１の直上で照明光の輝度が局所的に高くなるホットスポットをなくすことができる。
【００５３】
本実施形態の照明装置１によれば、反射板５０の半透過型曲面反射面５２が拡散板４０の貫通孔４１に進入してＬＥＤモジュール１０（ＬＥＤ１１）に向かって突出しているので、照明装置１の高さであるＯＤ値を極限まで小さくして低背化を図ることができる。
【００５４】
本実施形態の照明装置１によれば、ＬＥＤモジュール１０をＬＥＤモジュール収容部材２０に収容してこれらを一体化した上でＬＥＤモジュール支持基板３０に支持している。ＬＥＤモジュール収容部材２０は、高い放熱性を有しているので、ＬＥＤモジュール１０のＬＥＤ１１の発光時の熱をＬＥＤモジュール支持基板３０に効率よく逃がすことができる。その結果、温度をかけたときの長期信頼性（高温耐久化、長寿命化）を保証することができる。
【００５５】
＜変形例等＞
図１１は拡散板４０の別の実施形態を示している。この拡散板４０は、平面視略矩形部４８と、この平面視略矩形部４８の四隅から外周側に張り出した外周張出部４９とを有しており、平面視略矩形部４８の四隅から外周張出部４９に亘る厚みがその他の部分の厚みよりも大きくなっている。これにより、ＬＥＤモジュール１０（ＬＥＤ１１）からの照明光をコントロールして照明光が到達しにくい四隅への光量を増大させることができる。
【００５６】
図１２は拡散板４０のさらに別の実施形態を示している。この拡散板４０は、図１１の拡散板４０において、平面視略矩形部４８の四隅から外周張出部４９に向かう照明光の拡散を許容し、且つ、平面視略矩形部４８の各辺に最短距離で向かう照明光の拡散を阻害する拡散阻害部４９Ｘを有している。拡散阻害部４９Ｘは、貫通孔４１を中心とする円周方向に等角度間隔（９０°間隔）で形成した円弧状の４つの凹部または貫通孔からなる。
【００５７】
なお、図１１と図１２の実施形態は互いに独立しており、図１１の構成（平面視略矩形部４８と外周張出部４９）だけを具備する態様、図１２の構成（拡散阻害部４９Ｘ）だけを具備する態様、及び、図１１の構成と図１２の構成の双方を具備する態様が可能である。
【００５８】
拡散板４０の構成は、図１１と図１２で例示したもの以外にも種々の設計変更が可能である。例えば、拡散板４０をサイズアップした場合にも面発光の均一性を維持する（高める）ために、拡散板４０にテーパ形状部を設けることが可能である。あるいは、隣接する拡散板４０の合わせ目（縁部）に、互いに微小クリアランスで嵌る凹部と凸部を形成することで、隣接する拡散板４０の合わせ目（縁部）の発光均一性を維持する（高める）ことが可能である。
【００５９】
以上の実施形態では、反射板５０の半透過型反射面５２を曲面反射面とした場合を例示して説明したが、反射板５０の半透過型反射面５２の形状には自由度があり、例えば、円錐反射面や角錐反射面とする態様も可能である。
【００６０】
以上の実施形態では、拡散板４０と反射板５０を別体で構成した場合を例示して説明したが、拡散板４０と反射板５０を一体で構成する態様も可能である。この態様では、拡散板４０と反射板５０の間に挟持される第１の光量調整シート７０を省略することができる。
【００６１】
以上の実施形態では、ＬＥＤモジュール１０をＬＥＤモジュール収容部材２０に収容してこれらを一体化した上でＬＥＤモジュール支持基板３０に支持する場合を例示して説明した。しかしＬＥＤモジュール収容部材２０を省略して、ＬＥＤモジュール１０を単独でＬＥＤモジュール支持基板３０に支持する態様も可能である。
【００６２】
以上の実施形態では、拡散板４０と反射板５０の材料に自由度があることを説明した。より具体的に、拡散板４０と反射板５０は異なる光透過特性を持つ異なる材料から構成することができる。例えば、拡散板４０を反射板５０よりも透明度の高い材料から構成し、反射板５０を拡散板４０よりも白色度の高い材料から構成することができる。
【符号の説明】
【００６３】
１  照明装置
１０  ＬＥＤモジュール（光源部）
１１  ＬＥＤ（半導体発光素子）
１２  中継コネクタ
２０  ＬＥＤモジュール収容部材（光源部収容部材）
２１  上面平坦部
２２  傾斜反射面
２３  ＬＥＤモジュール嵌込開口（ＬＥＤモジュール収容開口）
２３Ａ  平面視略矩形部
２３Ｂ  外方突出部
２４  貫通孔
２５  環状平坦接触面
２６  大型平坦接触舌片
２７  小型平坦接触舌片
２８  島状平坦接触面
３０  ＬＥＤモジュール支持基板（シャシー、放熱板）
４０  拡散板
４１  貫通孔（通過部）
４２  固定ピン挿入孔
４３  上方突出ピン
４３Ａ  固定ピン挿入孔
４４  内径側下方突出ピン
４５  外径側下方突出ピン
４５Ａ  固定ピン挿入孔
４６  大径円錐状凹部（拡散部）
４７  小径円錐状凹部（拡散部）
４８  平面視略矩形部
４９  外周張出部
４９Ｘ  拡散阻害部
５０  反射板
５１  鍔部
５２  半透過型曲面反射面（半透過型反射面）
５３  第２反射面
６０  減光板（遮光板）
７０  第１の光量調整シート
７１  中央貫通孔
７２  内径側貫通孔
７３  外径側貫通孔
８０  第２の光量調整シート
８１  内径側貫通孔
８２  中間貫通孔
８３  外径側貫通孔
９０  反射シート
９１  中央貫通孔
９２  包囲貫通孔
ＵＶ  超音波溶着部
【図１】
2017103161.tif 000003
【図２】
2017103161.tif 000004
【図３】
2017103161.tif 000005
【図４】
2017103161.tif 000006
【図５】
2017103161.tif 000007
【図６】
2017103161.tif 000008
【図７】
2017103161.tif 000009
【図８】
2017103161.tif 000010
【図９】
2017103161.tif 000011
【図１０】
2017103161.tif 000012
【図１１】
2017103161.tif 000013
【図１２】
2017103161.tif 000014